(57)【要約】【課題】出力プロファイルの補正精度を向上させる。【解決手段】出力デバイスの第一のデバイス依存の色空間の色値において、補正制御点を設定する補正制御点設定部１１と、補正制御点が設定された第一のデバイス依存の色値を、第一のデバイス依存の色空間とは異なる出力デバイスの第二のデバイス依存の色空間の色値に変換したうえで、変換後の色値を所定量変位させるとともに、該変位後の色値を第一のデバイス依存の色値に変換した値に基づいて生成されたパッチを含む補正用カラーチャート６０を生成するカラーチャート生成部１２と、これを出力する画像形成部４０と、補正用カラーチャート６０のパッチを測色する測色計５０と、測色値を用いて補正パラメータを生成する補正パラメータ生成部１３と、補正パラメータを用いて出力プロファイル２１を補正する出力プロファイル補正部１４と、を備える。【選択図】図１
2018113575.tif 000002
【特許請求の範囲】
【請求項１】
出力デバイスの第一のデバイス依存の色空間の色値において、補正制御点を設定する補正制御点設定部と、
前記補正制御点が設定された前記第一のデバイス依存の色値を、前記第一のデバイス依存の色空間とは異なる出力デバイスの第二のデバイス依存の色空間の色値に変換したうえで、変換後の色値を所定量変位させるとともに、該変位後の色値を前記第一のデバイス依存の色値に変換した値に基づいて生成されたパッチを含む補正用カラーチャートを生成するカラーチャート生成部と、
前記補正用カラーチャートを出力する画像形成部と、
出力された前記補正用カラーチャートのパッチを測色する測色部と、
前記測色部による測色値を用いて出力プロファイルを補正するための補正パラメータを生成する補正パラメータ生成部と、
前記補正パラメータを用いて前記出力プロファイルを補正する出力プロファイル補正部と、
を備えることを特徴とする画像処理装置。
【請求項２】
前記カラーチャート生成部は、
前記第一のデバイス依存の色値を前記第二のデバイス依存の色値に変換する第一色変換部と、
前記第二のデバイス依存の色値において、色値を所定の割合で変位させる色値変位処理部と、
前記第二のデバイス依存の色値を前記第一のデバイス依存の色値に変換する第二色変換部と、を備え、
変位前の前記第一のデバイス依存の色値、および変位後の前記第一のデバイス依存の色値に基づいて生成されたパッチを含む前記補正用カラーチャートを生成することを特徴とする請求項１に記載の画像処理装置。
【請求項３】
前記補正パラメータ生成部は、
前記補正制御点の前記第一のデバイス依存の色値と、
前記補正制御点の前記第一のデバイス依存の色値を、前記出力プロファイルを用いて変換したデバイス非依存の色値と、
前記補正用カラーチャートに含まれるパッチの前記第一のデバイス依存の色値と、
前記補正用カラーチャートの前記測色部による測色値であるデバイス非依存の色値と、を用いて前記補正パラメータを生成することを特徴とする請求項１または２に記載の画像処理装置。
【請求項４】
前記第二のデバイス依存の色値は、ＨＳＬ色空間の色値であることを特徴とする請求項１から３までのいずれかに記載の画像処理装置。
【請求項５】
前記第一のデバイス依存の色値は、ＣＭＹＫ色空間の色値であることを特徴とする請求項１から４までのいずれかに記載の画像処理装置。
【請求項６】
前記カラーチャート生成部は、前記第二のデバイス依存の色値に基づいて、無彩色領域であるか否かを判定する色領域判定部をさらに備え、
前記色値変位処理部は、
前記色領域判定部において無彩色と判定された補正制御点については、前記第一のデバイス依存の色値において、色値を所定量変位させ、
前記色領域判定部において無彩色でないと判定された補正制御点については、前記第二のデバイス依存の色値において、色値を所定の割合で変位させることを特徴とする請求項２に記載の画像処理装置。
【請求項７】
前記カラーチャート生成部は、前記第一のデバイス依存の色値に応じて、前記色値変位処理部で設定される前記所定の割合の変位量を設定する色値変位量設定部を備えることを特徴とする請求項２に記載の画像処理装置。
【請求項８】
前記色値変位量設定部は、前記第一のデバイス依存の色値の最大値と最小値の差分に応じて、前記変位量を設定することを特徴とする請求項７に記載の画像処理装置。
【請求項９】
出力デバイスの第一のデバイス依存の色空間の色値において、補正制御点を設定する補正制御点設定処理と、
前記補正制御点が設定された前記第一のデバイス依存の色値を、前記第一のデバイス依存の色空間とは異なる出力デバイスの第二のデバイス依存の色空間の色値に変換したうえで、変換後の色値を所定量変位させるとともに、該変位後の色値を前記第一のデバイス依存の色値に変換した値に基づいて生成されたパッチを含む補正用カラーチャートを生成するカラーチャート生成処理と、
前記補正用カラーチャートを出力する画像形成処理と、
出力された前記補正用カラーチャートのパッチを測色する測色処理と、
前記測色処理による測色値を用いて補正パラメータを生成する補正パラメータ生成処理と、
前記補正パラメータを用いて出力プロファイルを補正するプロファイル補正処理と、
を行うことを特徴とする画像処理方法。
【請求項１０】
コンピュータに、
出力デバイスの第一のデバイス依存の色空間の色値において、補正制御点を設定させる補正制御点設定処理と、
前記補正制御点が設定された前記第一のデバイス依存の色値を、前記第一のデバイス依存の色空間とは異なる出力デバイスの第二のデバイス依存の色空間の色値に変換したうえで、変換後の色値を所定量変位させるとともに、該変位後の色値を前記第一のデバイス依存の色値に変換した値に基づいて生成されたパッチを含む補正用カラーチャートを生成させるカラーチャート生成処理と、
出力された前記補正用カラーチャートの測色値を用いて補正パラメータを生成させる補正パラメータ生成処理と、
前記補正パラメータを用いて出力プロファイルを補正せせるプロファイル補正処理と、
を実行させることを特徴とする画像処理プログラム。
【発明の詳細な説明】
【技術分野】
【０００１】
本発明は、画像処理装置、画像処理方法および画像処理プログラムに関する。
【背景技術】
【０００２】
特定のデバイスに依存する色空間（例えば、ＣＭＹＫやＲＧＢ）と、デバイス非依存の共通色空間（例えば、ＣＩＥＬＡＢ）との対応関係を記述したプロファイル（例えば、ＩＣＣ（International  Color  Consortium））プロファイル）を用い、共通色空間を介して、複数の装置間での色合わせを行うカラーマネジメント技術が知られている。
【０００３】
例えば、画像形成装置で画像を印刷するときには、入力プロファイルを用いて原稿データの色空間を共通色空間に変換した後に、出力プロファイルを用いて画像形成装置の特有の色空間に変換する。そして、変換した原稿データを、画像形成装置で再現可能な印刷色域に制限した後に、画像印刷を行う。
【０００４】
また、画像形成装置の色安定を図るためにキャリブレーションを実施することが知られている。従来のキャリブレーションの手法として、複数階調（例えば、ＣＭＹＫ）の単色パッチ（単色で形成されたパッチ）を出力して、単色パッチの測色を行い、この測色値から、所定の階調値が所望の色に合うようにガンマカーブを補正する技術が知られている。しかしながら、単色パッチの測色に基づいてガンマカーブを補正した場合、混色の色再現が合わないことが分かってきている。
【０００５】
そこで、単色パッチに替えて混色パッチ（複数色の単色を重ねることで形成されたパッチ（カラーパッチともいう））を出力して、混色パッチの測色を行い、この測色値から、特定の階調を重ね合わせた色が所望の色に合うように色変換テーブルやプロファイルを補正する技術が既に知られている。
【０００６】
例えば、特許文献１には、出力デバイスでのカラーマッチングに用いられる出力プロファイルを調整する画像処理装置であって、Ｌａｂ色空間の目標色値に対応するＣＭＹＫ色空間の色値と、当該色値を所定の割合で各々変位させた８つの色値とからなるカラーチャートを作成し、これを測色してＬａｂ色空間の測色値を求め、Ｌａｂ色空間の目標色値をＣＭＹＫ色空間上で囲む４つの測色値を選択し、選択された測色値をＣＭＹＫ色空間の複数の色値に変換し、当該複数の色値から、Ｌａｂ色空間の目標色値に対応するＣＭＹＫ色空間の目標色値を算出する技術が開示されている。
【発明の概要】
【発明が解決しようとする課題】
【０００７】
従来の出力プロファイルの補正では、出力デバイスのデバイス依存の色空間で各色値を所定の割合で変位させ混色パッチを出力し、その測色値とデバイス非依存の色空間における目標色値から、デバイス依存の色空間における目標色値を補間により求めている。
【０００８】
しかしながら、上記のような出力プロファイルの補正では、補正精度の向上に検討の余地を残していた。特に、各色値が変位された混色パッチのデバイス非依存の色空間における明度差が大きく、明度補間の精度が良好でないという問題があった。
【０００９】
そこで本発明は、出力プロファイルの補正精度を向上させることができる画像処理装置を提供することを目的とする。
【課題を解決するための手段】
【００１０】
かかる目的を達成するため、本発明に係る画像処理装置は、出力デバイスの第一のデバイス依存の色空間の色値において、補正制御点を設定する補正制御点設定部と、前記補正制御点が設定された前記第一のデバイス依存の色値を、前記第一のデバイス依存の色空間とは異なる出力デバイスの第二のデバイス依存の色空間の色値に変換したうえで、変換後の色値を所定量変位させるとともに、該変位後の色値を前記第一のデバイス依存の色値に変換した値に基づいて生成されたパッチを含む補正用カラーチャートを生成するカラーチャート生成部と、前記補正用カラーチャートを出力する画像形成部と、出力された前記補正用カラーチャートのパッチを測色する測色部と、前記測色部による測色値を用いて出力プロファイルを補正するための補正パラメータを生成する補正パラメータ生成部と、前記補正パラメータを用いて前記出力プロファイルを補正する出力プロファイル補正部と、を備えるものである。
【発明の効果】
【００１１】
本発明によれば、出力プロファイルの補正精度を向上させることができる。
【図面の簡単な説明】
【００１２】
【図１】画像処理装置の概略構成の一例を示すブロック図である。
【図２】画像処理装置が実行する処理の一例を示すフローチャートである。
【図３】補正制御点の一例を示す説明図である。
【図４】カラーチャート生成部の構成の一例を示すブロック図である。
【図５】カラーチャート生成処理の一例を示すフローチャートである。
【図６】１つの補正制御点に対する補正用パッチ群の一例を示す説明図である。
【図７】補正用カラーチャートの一例を示す説明図である。
【図８】補正パラメータ生成処理の一例を示すフローチャートである。
【図９】Ｌ＊ａ＊ｂ＊色空間の模式図および一部拡大図である。
【図１０】補正パラメータの一例を示す説明図である。
【図１１】ＣＭＹ色空間の模式図である。
【図１２】カラーチャート生成部の他の構成例を示すブロック図である。
【図１３】カラーチャート生成処理の他の例を示すフローチャートである。
【図１４】無彩色領域における１の補正制御点に対する補正用パッチ群の一例を示す説明図である。
【図１５】Ｌ＊ａ＊ｂ＊色空間の模式図および一部拡大図である。
【図１６】画像処理装置の概略構成の他の例を示すブロック図である。
【図１７】カラーチャート生成部の他の構成例を示すブロック図である。
【図１８】カラーチャート生成処理の他の例を示すフローチャートである。
【図１９】変位量パラメータの一例を示す説明図である。
【発明を実施するための形態】
【００１３】
以下、本発明に係る構成を図１から図１９に示す実施の形態に基づいて詳細に説明する。
【００１４】
［第１の実施形態］
本実施形態に係る画像処理装置は、出力デバイスの第一のデバイス依存の色空間（例えばＣＭＹＫ色空間）の色値（例えばＣＭＹＫ値）において、補正制御点を設定する補正制御点設定部（補正制御点設定部１１）と、補正制御点が設定された第一のデバイス依存の色値を、第一のデバイス依存の色空間とは異なる出力デバイスの第二のデバイス依存の色空間（例えばＨＳＬ色空間）の色値（例えばＨＳＬ値）に変換したうえで、変換後の色値を所定量変位させるとともに、該変位後の色値を第一のデバイス依存の色値に変換した値に基づいて生成されたパッチを含む補正用カラーチャート（補正用カラーチャート６０）を生成するカラーチャート生成部（カラーチャート生成部１２）と、補正用カラーチャートを出力する画像形成部（画像形成部４０）と、出力された補正用カラーチャートのパッチを測色する測色部（測色計５０）と、測色部による測色値を用いて出力プロファイル（出力プロファイル２１）を補正するための補正パラメータを生成する補正パラメータ生成部（補正パラメータ生成部１３）と、補正パラメータを用いて出力プロファイルを補正する出力プロファイル補正部（出力プロファイル補正部１４）と、を備えるものである。なお、括弧内は実施形態での符号、適用例を示す。
【００１５】
（画像処理装置の構成）
図１は、本実施形態に係る画像処理装置の概略構成を示すブロック図である。画像処理装置１は、画像処理部１０と、記憶装置２０と、コントローラ３０と、画像形成部４０と、測色計５０と、通信部７０と、を備える。また、図１では、画像処理装置１の通信部７０とネットワーク９０を介して接続可能な情報処理装置８０を併せて示している。
【００１６】
画像処理部１０は、ＣＰＵなどの制御装置と、ＲＡＭなどのメモリを備えており、起動時に、記憶装置２０に記憶されているプログラムを、主記憶となるＲＡＭに展開することにより、以下に説明する各機能部の機能を実現する。また、ＲＡＭは、画像処理装置１の各部の演算結果等の各種データを一時記憶するためのワークエリアとしても使用される。なお、上記プログラムは、画像処理装置１用に、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録して提供することができる。または、上記プログラムを、インターネット等のネットワークに接続されたコンピュータ上に格納し、ネットワーク経由で提供または配布するようにしてもよい。
【００１７】
画像処理部１０は、補正制御点設定部１１と、カラーチャート生成部１２と、補正パラメータ生成部１３と、出力プロファイル補正部１４と、を備え、画像形成部４０が印刷する補正用カラーチャート６０の出力データの作成や、記憶装置２０に記憶される出力プロファイル２１の補正を行う。
【００１８】
補正制御点設定部１１は、カラーチャート生成部１２による補正用カラーチャートの生成の際、および補正パラメータ生成部１３における補正パラメータの生成の際に用いる補正制御点を設定する。補正制御点については、図３を参照して後述する。
【００１９】
カラーチャート生成部１２は、補正制御点設定部１１が設定した補正制御点に基づき補正用カラーチャート６０を生成する。カラーチャート生成部１２の構成および処理については、図４〜図７を参照して後述する。
【００２０】
補正パラメータ生成部１３は、補正制御点、補正用カラーチャート６０のパッチ構成、補正用カラーチャート６０の測色値、出力プロファイル２１等を用いて出力プロファイル２１の補正用の補正パラメータを生成する。補正パラメータ生成部１３の処理については、図８〜図１０を参照して後述する。
【００２１】
出力プロファイル補正部１４は、補正パラメータ生成部１３が生成した補正パラメータを用いて、出力プロファイル２１の補正を行う。出力プロファイル補正部１４の処理については、図１１を参照して後述する。
【００２２】
記憶装置２０は、ＲＯＭ、ＮＶＲＡＭ、ＨＤＤ等からなり、出力プロファイル２１や各種のプログラム、および、出力プロファイル２１の補正処理に用いる種々のパラメータや各種のデータ等を記憶する。
【００２３】
コントローラ３０は、画像処理装置１の全体を制御する制御部であり、接続された各デバイスを制御する。コントローラ３０の一部またはすべては、例えば、ＣＰＵなどの処理装置にプログラムを実行させること、すなわち、ソフトウェアにより実現してもよいし、ＩＣ（Integrated  Circuit）などのハードウェアにより実現してもよいし、ソフトウェアおよびハードウェアを併用して実現してもよい。なお、コントローラ３０の一部を画像処理部１０としてもよい。
【００２４】
画像形成部４０は、コントローラ３０により制御されるとともにコントローラ３０から受け付けた出力データを用いて、記録媒体に画像を印刷するプリンタエンジン部であり、カラーチャート生成部１２で生成された補正用カラーチャート６０の出力データをコントローラ３０を介して受け付けて、補正用カラーチャート６０を印刷する。
【００２５】
なお、画像形成部４０の画像形成方式は、電子写真方式であってもよいし、インクジェット方式であってもよく、限定されない。画像形成部４０は、例えば、ＣＭＹＫ（シアン（Cyan）、マゼンタ（Magenta）、イエロー（Yellow）とキー・プレート（Key  Plate））の各色のトナーまたはインクを用いて、記録媒体に画像を印刷する。
【００２６】
測色計５０は、コントローラ３０により制御され、画像形成部４０が印刷した補正用カラーチャート６０の各パッチの測色を行う。
【００２７】
通信部７０は、ネットワーク９０を介して他の機器と通信を行う。図１の例は、通信部７０は、ネットワーク９０を介して情報処理装置８０との間でデータ授受が可能な例を示している。通信部７０は、各種データや、各種信号などを情報処理装置８０へ送信するとともに、情報処理装置８０から印刷データなどを受信する。また、情報処理装置８０からの指示に基づいて、出力プロファイル２１の作成や補正をすることも可能である。
【００２８】
（画像処理装置の処理フロー）
図２は、画像処理装置１が実行する処理の一例を示すフローチャートである。先ず、図２のフローチャートを参照して、画像処理装置１が実行する処理の全体の流れを説明した後、各処理の詳細を説明する。
【００２９】
先ず、画像処理部１０の補正制御点設定部１１は、デバイス依存の第一の色空間（例えばＣＭＹＫ色空間）における補正制御点を設定する（Ｓ１０１）。
【００３０】
次いで、カラーチャート生成部１２により、設定された補正制御点に基いて補正用カラーチャート６０を生成し（Ｓ１０２）、このデータをコントローラ３０へ出力する。
【００３１】
次いで、画像形成部４０は、コントローラ３０から受け付けたデータに基づいて、補正用カラーチャート６０を出力する（Ｓ１０３）。
【００３２】
次いで、測色計５０は、出力された補正用カラーチャート６０を測色する（Ｓ１０４）。
【００３３】
次いで、補正パラメータ生成部１３は、補正制御点、補正用カラーチャート６０のパッチ構成、補正用カラーチャート６０の測色値、出力プロファイル２１に基づき、出力プロファイル２１を補正するための補正パラメータを生成する（Ｓ１０５）。
【００３４】
次いで、出力プロファイル補正部１４は、生成された補正パラメータを用いて、出力プロファイル２１を補正する（Ｓ１０６）。
【００３５】
（補正制御点設定部）
補正制御点設定部１１の詳細を説明する。図３は、補正制御点の一例を示す説明図である。出力プロファイル２１の補正のために補正制御点設定部１１が設定する補正制御点は、任意の色相において階調値を連続的に変えた形で設定される。補正制御点は、主にＣＭＹのような一次色、ＲＧＢのような二次色、グレーのような三次色など代表的な色相に対して設定される。
【００３６】
図３は、ＣＭＹＫ値のＣＭＫ値に対して設定された補正制御点（ＩＤ０〜ＩＤｎ）の例を示しており、例えば、ＩＤ０〜ＩＤ４は、Ｙ色相の色を補正するための補正制御点に相当し、Ｃ，Ｍの階調値を一律とするとともに、Ｙの階調値を０，６４，１２８，１９２，２５５と変化させて設定したものである。
【００３７】
（カラーチャート生成部）
次に、カラーチャート生成部１２の詳細を説明する。図４は、カラーチャート生成部１２の詳細な構成を示すブロック図である。カラーチャート生成部１２は、第一色変換部１２０と、色値変位処理部１２１と、第二色変換部１２２と、パッチ配置部１２３と、を備えており、設定された補正制御点に基いて補正用カラーチャート６０を生成するカラーチャート生成処理を実行する。
【００３８】
第一色変換部１２０は、デバイス依存の第一の色値であるＣＭＹＫ値のうちＣＭＹ値を、デバイス依存の第二の色値であるＨＳＬ値（色相（Hue）、彩度（Saturation）、輝度（Lightness/Luminance））に変換する。
【００３９】
色値変位処理部１２１は、第一色変換部１２０にて変換されたＨＳＬ値を、所定の変位量で変位させる。
【００４０】
第二色変換部１２２は、色値変位処理部１２１で変位されたＨＳＬ値を、ＣＭＹ値に逆変換する。
【００４１】
パッチ配置部１２３は、色値変位処理部１２１で変位させる前と変位させた後の色値で作成したパッチをページ内に配置して補正用カラーチャート６０を生成する。
【００４２】
図５は、カラーチャート生成部１２が実行するカラーチャート生成処理の一例を示すフローチャートである。
【００４３】
カラーチャート生成処理では、先ず、第一色変換部１２０により、ＣＭＹ値をＨＳＬ値に変換する処理がなされる（Ｓ２０１）。ＣＭＹ値からＨＳＬ値への変換は、数１に示す数式１〜数式１４により実行できる。なお、Ｃ，Ｍ，Ｙの各値は、０〜２５５の値をとる。
【００４４】
【数１】
2018113575.tif 000003
【００４５】
次いで、色値変位処理部１２１は、上記数１で変換されたＨＳＬ値を所定の値で変位する（Ｓ２０２）。ここで所定の値は、補正対象となる出力プロファイル２１を使用するプリンタの最大の変動幅から、それを超える範囲で設定するものであればよい。
【００４６】
次いで、第二色変換部１２２は、Ｓ２０２で変位したＨＳＬ値を、ＣＭＹ値に逆変換する（Ｓ２０３）。ＨＳＬ値からＣＭＹ値への変換は数２に示す数式１５〜数式３０により実行できる。なお、Ｋの値については、元の値をそのまま用いればよい。
【００４７】
【数２】
2018113575.tif 000004
【００４８】
次いで、パッチ配置部１２３は、色値変位処理部１２１で変位させる前と変位させた後の色値で作成したパッチをページ内に配置し、補正用カラーチャート６０を生成する（Ｓ２０４）。
【００４９】
図６は、１の補正制御点に対して、形成される複数のパッチ（補正用パッチ群という）の一例を示す説明図である。ここでは、１つの補正制御点に対応して、それぞれ５つのパッチからなる補正用パッチ群が生成される。
【００５０】
図６に示すパッチＮｏ．０〜Ｎｏ．４のＨＳＬＫの各値は、ある補正制御点に対応して出力される補正用パッチ群のＨＳＬ空間における色値を示している。
【００５１】
カラーチャート生成処理では、先ず、上記のように補正制御点のＣＭＹ値がＨＳＬ値に変換される（Ｓ２０１）。Ｎｏ．０の欄に示す値は、Ｓ２０１の処理で変換された色相方向、彩度方向、輝度方向の変換結果である（Ｈ０，Ｓ０，Ｌ０）。
【００５２】
そして、色値変位処理部１２１は、変換した各値（Ｈ０，Ｓ０，Ｌ０）に基づいて、色相方向Ｈの負方向に所定の変位率α（％）で変位させたもの（Ｈ０−α，Ｓ０，Ｌ０）、色相方向Ｈの正方向に所定の変位率α（％）で変位させたもの（Ｈ０＋α，Ｓ０，Ｌ０）、彩度方向Ｓの正方向に所定の変位率β（％）で変位させたもの（Ｈ０，Ｓ０＋β，Ｌ０）、彩度方向Ｓの負方向に所定の変位率β（％）で変位させたもの（Ｈ０，Ｓ０−β，Ｌ０）を生成する。
【００５３】
そして、第二色変換部１２２は、Ｓ２０２で変位されたＨＳＬ値を、ＣＭＹ値に逆変換する（Ｓ２０３）。Ｋ０は、元の補正制御点のＫ値を用いる。
【００５４】
そして、図６に示す各ＨＳＬ値をＣＭＹ値に逆変換した値と、元のＫ値からなるパッチＮｏ．０〜Ｎｏ．４の５つのパッチが生成される。この５つのパッチが１の補正制御点に対応する１の補正用パッチ群となる。
【００５５】
図７は、補正用カラーチャート６０の一例を示す説明図である。補正用カラーチャート６０は、各補正制御点（ＩＤ０〜ＩＤｎ）にそれぞれ対応する補正用パッチ群（パッチＮｏ．０〜Ｎｏ．４）が形成される。本実施形態では、１の補正制御点に対応する補正用パッチ群は、ＣＭＹ値からＨＳＬ値に変換後、ＨとＳの値を変位させた後に逆変換した値からなる４つのパッチと、変位させていないパッチの５つのパッチからなるため、補正用カラーチャート６０には、補正制御点数×５のパッチが配置される。
【００５６】
（補正パラメータ生成部）
次に、補正パラメータ生成部１３の詳細を説明する。図８は、補正パラメータ生成部１３が実行する補正パラメータ生成処理の一例を示すフローチャートである。
【００５７】
補正パラメータ生成部１３は、先ず、測色計５０による測色結果である、ある１の補正制御点に対応する補正用パッチ群の測色値を、コントローラ３０を介して取得する（Ｓ３０１）。また、補正制御点のデバイス依存の第一の色値であるＣＭＹＫ値を取得する（Ｓ３０２）。
【００５８】
次いで、記憶装置２０の出力プロファイル２１を読み出し、ＣＭＹＫ値をデバイス非依存の色値であるＬ＊ａ＊ｂ＊値に変換する（Ｓ３０３）。
【００５９】
次いで、変換した値（Ｌ＊ａ＊ｂ＊値）と、補正用パッチ群の測色値（Ｌ＊ａ＊ｂ＊値）で形成される平面との距離を求め、距離最少点（Ｌ＊ａ＊ｂ＊値）であるかの判定を行う（Ｓ３０４）。距離最少点の探索については、後述する。
【００６０】
距離最少点でない場合は（Ｓ３０４：Ｎｏ）、デバイス依存の第一の色値であるＣＭＹＫ値の調整をする（Ｓ３０５）。具体的には、補正用パッチ群の測色値の平面よりも明度が高い場合はＣＭＹＫ値が大きくなる方（すなわち明度が下がる方向）に調整し、補正用パッチ群の測色値の平面よりも明度が低い場合はＣＭＹＫ値が小さくなる方（すなわち明度が上がる方向）に調整する。Ｓ３０５の調整処理後は、Ｓ３０３に戻る。Ｓ３０３〜Ｓ３０５の処理は、距離最少点が見つかるまで繰り返される。
【００６１】
距離最少点を探索した場合は（Ｓ３０４：Ｙｅｓ）、補正用パッチ群の測色値（Ｌ＊ａ＊ｂ＊値）と距離最少点（Ｌ＊ａ＊ｂ＊値）に基づいて、補正用パッチ群のＣＭＹＫ値の補間用の重みを算出する（Ｓ３０６）。
【００６２】
次いで、測色した補正用パッチ群のＣＭＹＫ値を取得する（Ｓ３０７）。そして、取得した補正用パッチ群のＣＭＹＫ値を、Ｓ３０６で算出した重みを用いて補間し、補正パラメータの出力値を求める（Ｓ３０８）。
【００６３】
次いで、調整後の補正制御点のＣＭＹＫ値を入力値とし、補正用パッチ群の補間結果のＣＭＹＫ値を出力値として、補正パラメータに設定する（Ｓ３０９）。
【００６４】
次いで、すべての補正制御点について、補正パラメータの入出力値が設定されたか否かを判定する（Ｓ３１０）。未設定の補正制御点がある場合（Ｓ３１０：Ｎｏ）は、次の補正制御点についての処理に移行する（Ｓ３０１に戻る）。一方、すべての補正制御点に対し設定済である場合（Ｓ３１０：Ｙｅｓ）は、補正パラメータ生成処理を終了する。
【００６５】
以上の補正パラメータ生成処理の詳細について図９を参照して説明する。図９は、Ｌ＊ａ＊ｂ＊色空間の模式図である。図９においては、距離最小点ＣＰとそれを囲む補正用パッチ群の測色値ｍ１，ｍ２，ｍ４の拡大図を併せて示している。
【００６６】
図９において、Ｐ１〜Ｐ５は補正制御点のＣＭＹＫ値を出力プロファイル２１を用いてＬ＊ａ＊ｂ＊値に変換（Ｓ３０３）した点を表している。また、ｍ１〜ｍ４は、Ｐ４の補正制御点に対応した補正用パッチ群の測色値を表している。なお、図９の例では、Ｐ４の補正制御点の彩度Ｓが最大値となっているため、Ｓを正方向に振ったパッチ（図６の例におけるＮｏ．３のパッチ）は除いた４つのパッチの測色値である。なお、ｍ１〜ｍ４は輝度を維持したまま変位した色であるため、明度も近い値となり明度軸（Ｌ＊軸）に対しては、垂直に近い平面となっている。
【００６７】
ここでは、先ず、補正用パッチ群の測色値ｍ１〜ｍ４で形成される平面の式を求める。三次元の平面の式は三点が決まれば一意に決定される。また、三点の組み合わせは、元のパッチ測色値は固定し、色相Ｈを変位させたいずれかのパッチを１つと、彩度Ｓを変位させたいずれかのパッチ１つを選択する。
【００６８】
補正用パッチ群は、色相Ｈを正負の双方向、彩度Ｓを正負の双方向に振っているため、通常、２×２の４通りの平面が形成されるが、図９の例では、彩度Ｓは負方向のみであるため、平面は、（ｍ１，ｍ２，ｍ４）と（ｍ１，ｍ３，ｍ４）の２通りの組み合わせで形成される。
【００６９】
次いで、Ｐ４からＰ５に向かってＣＭＹＫ値を動かしながら、出力プロファイル２１を用いて色変換を行い、Ｌ＊ａ＊ｂ＊値を求める。このとき、各Ｌ＊ａ＊ｂ＊値と平面の距離を都度算出し、距離が最小となる点（距離最小点ＣＰ）を求める（Ｓ３０３〜Ｓ３０５）。距離が最少となった時のＣＭＹＫ値は、補正パラメータの入力値に設定される（Ｓ３０９）。
【００７０】
距離最少点ＣＰを求めたら、図９の拡大図に示すように、距離最少点ＣＰのＬ＊ａ＊ｂ＊値と、距離最少点ＣＰを囲むパッチの測色値（ここでは、ｍ１，ｍ２，ｍ４）のＬ＊ａ＊ｂ＊値を取得する。
【００７１】
そして、図９の拡大図に示すように、距離最少点ＣＰから各パッチの測色値ｍ１，ｍ２，ｍ４に補助線を引き、ＣＰとｍ２とｍ４で囲まれる領域、ＣＰとｍ１とｍ４で囲まれる領域、ＣＰとｍ１とｍ２で囲まれる領域の３つの領域に分割する。次いで、この分割された領域の面積ｗ１，ｗ２，ｗ３を求め、これを補間演算の重みに用いる（Ｓ３０６）。
【００７２】
次いで、距離最少点ＣＰを囲むパッチｍ１，ｍ２，ｍ４についてのＣＭＹ値（Ｃ１，Ｍ１，Ｙ１），（Ｃ２，Ｍ２，Ｙ２），（Ｃ３，Ｍ３，Ｙ３）を取得し（Ｓ３０７）、かつ、重みｗ１，ｗ２，ｗ３を用いて、数３に示す数式３１〜数式３３により、補完演算を行い（Ｓ３０８）、補正パラメータの出力値（ＣＭＹ）を求める（Ｓ３０９）。なお、Ｋの値については、各パッチで色値を変位させていないため、元の値がそのまま出力値となる。
【００７３】
【数３】
2018113575.tif 000005
【００７４】
以上説明した補正パラメータ生成処理で生成される補正パラメータの一例を図１０に示す。図１０に示す補正パラメータは、各補正制御点（ＩＤ０〜ＩＤｎ）にそれぞれ対応する入力値（ＩＮＰＵＴ）と出力値（ＯＵＴＰＵＴ）を並記して示している。なお、入力値が図３に示した値から変化しているのは、距離最小点の探索において、ＣＭＹＫ値を調整しているためである（図８のＳ３０５、図９）。
【００７５】
（出力プロファイル補正部）
次に、出力プロファイル補正部１４の詳細を説明する。出力プロファイル補正部１４による出力プロファイル補正処理の詳細を図１１を参照して説明する。図１１は、ｘ軸にＣ、ｙ軸にＭ、ｚ軸にＹの色値を取った色空間の模式図である。このため、図中左下の原点が白色（Ｗ）、右上がＣＭＹベタのグレー（Ｇｒａｙ）に相当する。
【００７６】
ＣＭＹのような一次色、ＲＧＢのような二次色、グレーのような三次色などの代表的な色相に対して補正制御点が設定された場合、図中の太線で表すＷから、Ｃ，Ｍ，Ｙ，Ｒ，Ｇ，Ｂの各頂点を通ってＧｒａｙに向かう５つのラインと、ＷからＧｒａｙへの対角線（Ｗ−Ｇｒａｙラインという）の位置に補正パラメータが存在する。
【００７７】
出力プロファイル補正処理では、先ず、補正対象の出力プロファイル２１のＬＵＴ（Look  up  Table）から各格子点のＣＭＹＫ値を取得する。なお、ＩＣＣプロファイルなど一部のプロファイルではＬＵＴの前段や後段に、ガンマ変換やマトリクス変換等を付加することが可能となっている。このため、ガンマ変換やマトリクス変換等がなされる場合は、最終出力が合うように逆変換を施しておくことが必要となる。
【００７８】
取得したＣＭＹＫ値のうちＣＭＹ値を用い、その大小関係からＣＭＹ色空間のどの領域に含まれるか判定を行い、それに基づき補正に用いる補正パラメータを決定する。例えば、図１１に示す格子点ＩＰの場合、Ｃ＞Ｍ＞Ｙとなっており、Ｃ色相とＧ色相、Ｗ−Ｇｒａｙラインの補正パラメータが使用される。
【００７９】
この３つの補正パラメータを用いて以下の手順で補正値が求められる。先ず、ＣＭＹ値をＨＳＬ値に変換する。次いで、変換したＨＳＬ値について、彩度Ｓを１に補正した後、色相ＨをＣの色相の値、およびＧの色相の値にそれぞれ補正する。
【００８０】
補正後のＨＳＬ値を、ＣＭＹ値に逆変換して補正パラメータを適用する。補正パラメータを用いた補正は、対象制御ラインの補正パラメータの入力値から補正対象のＣＭＹ値を挟む値を探索する。
【００８１】
そして、対応するＯＵＴＰＵＴ値を取得し、線形補間やスプライン補間など種々の補間方法を用いて補正後のＣＭＹ値を出力する。
【００８２】
また、Ｃ色相の値と、Ｇ色相の値のそれぞれで得られた補正後のＣＭＹ値を、元の色相ＨとＣ色相、Ｇ色相の色相Ｈｃ、Ｈｇとの差の比率によって重みづけ補間する（数４に示す数式３４〜数式３６）。なお、Ｃｇ，Ｍｇ，Ｙｇは、それぞれＧ色相の補正で得られたＣＭＹ値であり、Ｃｃ，Ｍｃ，Ｙｃは、それぞれＣ色相の補正で得られたＣＭＹ値である。
【００８３】
【数４】
2018113575.tif 000006
【００８４】
さらに、彩度Ｓを１に補正したのち、同様にＷ−Ｇｒａｙラインの補正パラメータで補正を行い、ＣＳ＝０，ＭＳ＝０，ＹＳ＝０を得る。最後に、ＣＳ＝１，ＭＳ＝１，ＹＳ＝１，ＣＳ＝０，ＭＳ＝０，ＹＳ＝０を彩度Ｓで補間し、最終的な補正値ＣＭＹを得る（数５に示す数式３７〜数式３９）。
【００８５】
【数５】
2018113575.tif 000007
【００８６】
なお、Ｋについては補正元のＫの値がそのまま使用される。以上説明した出力プロファイル補正処理がＬＵＴの全格子点に対して実行される。
【００８７】
以上説明した本実施形態に係る画像処理装置は、出力プロファイルの補正において、出力デバイスの第一のデバイス依存の色空間（例えば、ＣＭＹＫ色空間）の色値（ＣＭＹＫ値）を、出力デバイスの第二のデバイス依存の色空間（例えば、輝度、彩度、色相で表されるＨＳＬ色空間）の色値（ＨＳＬ値）に変換した後、第二のデバイス依存の色空間において各色値を所定の値変位させたカラーパッチを作成して出力し、その測色値とデバイス非依存の目標色値（Ｌ＊ａ＊ｂ＊値）から補間により第一のデバイス依存の目標色値を求めるものである。これにより、出力プロファイルの補正精度を向上させることができる。すなわち、ＣＭＹＫに比べて等明度性が維持できる色空間で変位させたパッチを生成することができ、明度方向の補間精度を向上した出力プロファイルを作成することが可能となる。
【００８８】
［第２の実施形態］
以下、本発明に係る画像処理装置の他の実施形態について説明する。なお、上記実施形態と同様の点についての説明は適宜省略する。
【００８９】
第１の実施形態において、カラーチャート生成部１２は、ＣＭＹ値をＨＳＬ値に変換し、ＨＳＬ値を所定量変位させてパッチを生成することを説明したが、グレー付近の色はＨＳＬ値の変更に対する感度が鈍いため、適切な範囲でパッチを振って出力することが難しいという問題がある。
【００９０】
そこで、第２の実施形態では、無彩色領域においてはＣＭＹＫ値でパッチを変位させることにより、さらに適切な補正パラメータを得られるようにしている。
【００９１】
図１２は、カラーチャート生成部１２の他の構成例を示すブロック図である。本実施形態に係るカラーチャート生成部１２は、第一色変換部１２０と、色領域判定部１２４と、第二色変換部１２２と、色値変位処理部１２１と、パッチ配置部１２３と、を備え、設定された補正制御点に基いて補正用カラーチャート６０を生成するカラーチャート生成処理を実行する。
【００９２】
色領域判定部１２４は、第一色変換部１２０にて変換されたＨＳＬ値について、有彩色領域か無彩色領域かの判定を行う。
【００９３】
色値変位処理部１２１は、色領域判定部１２４の判定結果に応じて、判定結果が有彩色領域の場合は、ＨＳＬ値をそれぞれに対応した所定の値で変位させ、無彩色領域の場合は、ＣＭＹＫ値をそれぞれに対応した所定の値で変位させる。
【００９４】
図１３は、カラーチャート生成部１２が実行するカラーチャート生成処理の一例を示すフローチャートである。
【００９５】
第２の実施形態におけるカラーチャート生成処理では、先ず、第一色変換部１２０により、補正制御点のＣＭＹ値（デバイス依存の第一の色値）をＨＳＬ値（デバイス依存の第二の色値）に変換する処理がなされる（Ｓ４０１）。ＣＭＹ値からＨＳＬ値への変換は、上記数１で実行される。
【００９６】
次いで、色領域判定部１２４は、変換後の彩度Ｓの値が所定の閾値（彩度閾値）より大きいか否かを判定する（Ｓ４０２）。所定の閾値には、色値変位処理部１２１でのＨＳＬ値での変位において、パッチがうまく振れない領域が選択されるように、例えば、Ｓ＝０．１など小さい値を設定する。
【００９７】
Ｓ４０２における判定の結果、彩度Ｓが所定の閾値より大きい場合（Ｓ４０２：Ｙｅｓ）、すなわち、有彩色領域である場合は、色値変位処理部１２１は、上記第１の実施形態と同様に、変換されたＨＳＬ値を所定の値で変位する（Ｓ４０３）。
【００９８】
次いで、第二色変換部１２２は、Ｓ４０３で変位されたＨＳＬ値を、ＣＭＹ値に逆変換する（Ｓ４０４）。ＨＳＬ値からＣＭＹ値への変換は、上記数２で実行できる。なお、カラーチャート生成処理において、Ｋの値は、元の値をそのまま用いるものであればよい。
【００９９】
一方、Ｓ４０２における判定の結果、彩度Ｓが所定の閾値以下の場合（Ｓ４０２：Ｎｏ）、すなわち、無彩色領域である場合は、色値変位処理部１２１は、第二色変換部１２２は、Ｓ４０１で変換されたＨＳＬ値を、ＣＭＹ値に逆変換する（Ｓ４０５）。ＨＳＬ値からＣＭＹ値への変換は、上記数２で実行される。
【０１００】
次いで、色値変位処理部１２１は、変換されたＣＭＹ値を所定の値で変位する（Ｓ４０６）。なお、カラーチャート生成処理において、Ｋの値は、元の値をそのまま用いるものであればよい。
【０１０１】
Ｓ４０４およびＳ４０６の処理の後、パッチ配置部１２３は、色値変位処理部１２１で変位させた前後の色値で作成したパッチをページ内に配置し、補正用カラーチャート６０を生成する（Ｓ４０７）。
【０１０２】
図１４は、無彩色領域における１の補正制御点に対して、形成される複数のパッチ（補正用パッチ群）の一例を示す説明図である。ここでは、１つの補正制御点に対応して、それぞれ９つのパッチからなる補正用パッチ群が生成される。
【０１０３】
図１４に示すパッチＮｏ．０〜Ｎｏ．８の各値は、ある補正制御点（ＩＤ０〜ＩＤｎのうちの１つ）に対応して出力される補正用パッチ群のＣＭＹＫ空間における色値を示している。
【０１０４】
カラーチャート生成処理では、上記のように、補正制御点のＣＭＹ値がＨＳＬ値に変換された後（Ｓ４０１）、有彩色領域か無彩色領域かを判定し（Ｓ４０２）、無彩色領域の場合、ＨＳＬ値をＣＭＹ値に逆変換した後（Ｓ４０５）、ＣＭＹ値を変位させる（Ｓ４０６）。
【０１０５】
Ｎｏ．０の欄に示す値は、Ｓ４０５の処理で逆変換されたＣＭＹの変換結果である（Ｃ０，Ｍ０，Ｙ０）。Ｋ０は元のＫの値である。
【０１０６】
色値変位処理部１２１は、各補正制御点のＣ０，Ｍ０，Ｙ０，Ｋ０のＭ成分とＹ成分に対して所定の変位量α（１〜２５５）で正負の方向に変位させる。図１４の例では、Ｍ成分とＹ成分を変位量αで正負の方向に変位させたものの組み合わせ（Ｎ０．１〜Ｎｏ．８）と、元の値（Ｎｏ．０）に相当する計９つのパッチが生成され、この９つのパッチが無彩色領域における１の補正制御点に対応する１の補正用パッチ群となる。
【０１０７】
次いで、無彩色領域における補正パラメータ生成処理の詳細について図１５を参照して説明する。図１５は、Ｌ＊ａ＊ｂ＊色空間の模式図である。図１５においては、距離最小点ＣＰ２とそれを囲む補正用パッチ群の測色値ｍ１０，ｍ１１，ｍ１２の拡大図を併せて示している。
【０１０８】
図１５において、Ｐ１１〜Ｐ１５は補正制御点のＣＭＹＫ値を、出力プロファイル２１を用いてＬ＊ａ＊ｂ＊値に変換した際の点を表している。また、ｍ１０〜ｍ１８は、Ｐ１３の補正制御点に対応した補正用パッチ群の測色値を表している。
【０１０９】
補正パラメータの入力値および出力値の求め方はＨＳＬ値で変位させた場合と同様で、測色値から３点（ｍ１０，ｍ１１，ｍ１２）を選択して三次元の平面を形成する。
【０１１０】
次いで、Ｐ１３からＰ１４に向かってＣＭＹＫ値を動かしながら、出力プロファイル２１を用いて色変換を行い、Ｌ＊ａ＊ｂ＊値を求める。このとき、各Ｌ＊ａ＊ｂ＊値と平面の距離を都度算出し、距離が最小となる距離最小点ＣＰ２を求める。距離が最少となった時のＣＭＹＫ値は、補正パラメータの入力値に設定される（Ｓ３０９）。
【０１１１】
距離最少点ＣＰ２を求めたら、図１５の拡大図に示すように、距離最少点ＣＰ２のＬ＊ａ＊ｂ＊値と、距離最少点ＣＰ２を囲むパッチの測色値（ｍ１０，ｍ１１，ｍ１２）のＬ＊ａ＊ｂ＊値を取得する。
【０１１２】
そして、図１５の拡大図に示すように、距離最少点ＣＰ２から各パッチの測色値ｍ１０，ｍ１１，ｍ１２に引いた補助線を引き、ＣＰ２とｍ１１とｍ１２で囲まれる領域、ＣＰ２とｍ１０とｍ１２で囲まれる領域、ＣＰ２とｍ１０とｍ１１で囲まれる領域の３つの領域に分割する。次いで、この分割された領域の面積ｗ１，ｗ２，ｗ３を求め、これを補間演算の重みとする。
【０１１３】
次いで、距離最少点ＣＰ２を囲むパッチｍ１０，ｍ１１，ｍ１２についてのＣＭＹ値を取得し、かつ、重みｗ１，ｗ２，ｗ３を用いて、数３と同様に、補完演算を行い、補正パラメータの出力値（ＣＭＹ）を求める。なお、Ｋの値については、各パッチで色値を変位させていないため、元の値がそのまま出力値となる。
【０１１４】
以上説明した第２の実施形態に係る画像処理装置では、無彩色領域においてはＣＭＹＫ値で変位させたパッチ群、有彩色領域においてはＨＳＬで変位させたパッチ群を用いることで、無彩色領域においても適切な範囲で色値を振ったパッチを生成することができ、より適切な補正パラメータを得ることができる。
【０１１５】
［第３の実施形態］
変位させたパッチを生成する際に、全空間で同一の変位率を設定する場合、高輝度領域や低輝度領域、または、低彩度領域等で変位の幅が足りなかったり、中間輝度領域や高彩度領域等で、変位の幅が大きすぎたりするおそれがある。
【０１１６】
そこで、第３の実施形態に係る画像処理装置は、全空間で同一の変位率とせず、領域によって変位の幅を切り替えられるようにしたものである。
【０１１７】
図１６は、第３の実施形態に係る画像処理装置の概略構成を示すブロック図である。画像処理装置１は、上記実施形態と同様に、画像処理部１０と、記憶装置２０と、コントローラ３０と、画像形成部４０と、測色計５０と、通信部７０と、を備えるが、記憶装置２０に出力プロファイル２１とともに、変位量パラメータ２２を記憶している点で相違する。
【０１１８】
変位量パラメータ２２は、色値変位処理部１２１で変位させるＨＳＬ値の変位量（所定の変位量）であって、ＣＭＹ値の最大値と最小値の差分に応じた値が規定されている。
【０１１９】
図１７は、カラーチャート生成部１２の他の構成例を示すブロック図である。本実施形態に係るカラーチャート生成部１２は、第一色変換部１２０と、色値変位処理部１２１と、色値変位量取得部１２５と、第二色変換部１２２と、パッチ配置部１２３と、を備え、設定された補正制御点に基いて補正用カラーチャート６０を生成するカラーチャート生成処理を実行する。
【０１２０】
色値変位量取得部１２５は、記憶装置２０に記憶されている変位量パラメータ２２を参照して、変位量のパラメータを取得し、ＣＭＹＫ値に応じて設定する。
【０１２１】
図１８は、カラーチャート生成部１２が実行するカラーチャート生成処理の一例を示すフローチャートである。
【０１２２】
第３の実施形態に係るカラーチャート生成処理では、先ず、色値変位量取得部１２５は、デバイス依存の第一の色空間であるＣＭＹＫ値のうち、ＣＭＹ値の最大値、最小値を取得し（Ｓ５０１）、次いで、その最大値と最小値の差分を求め、その値に応じて変位量を設定する（Ｓ５０２）。
【０１２３】
変位量パラメータの一例を図１９に示す。変位量パラメータ２２は、ＣＭＹ値の最大値と最小値の差（Ｍａｘ−Ｍｉｎ）に応じた補正率を記録している。変位量パラメータ２２としては、最大値と最小値の差が小さいほど、すなわち、低輝度、高輝度、低彩度の領域ほど大きい変位率を設定し、最大値と最小値の差が大きいほど、すなわち、中間輝度、高彩度の領域ほど小さい変位率を設定することが望ましい。図１９に示す変位量パラメータ２２は、一例であって、より小さい分解能で設定することも好ましい。
【０１２４】
次いで、第一色変換部１２０により、補正制御点のＣＭＹ値（デバイス依存の第一の色値）をＨＳＬ値（デバイス依存の第二の色値）に変換する処理がなされる（Ｓ５０３）。ＣＭＹ値からＨＳＬ値への変換は、上記数１で実行される。
【０１２５】
次いで、色値変位処理部１２１は、上記数１で変換されたＨＳＬ値を所定の値で変位する（Ｓ５０４）。この時の所定の値は、色値変位量取得部１２５で設定された変位量である。
【０１２６】
次いで、第二色変換部１２２は、Ｓ４０３で変位されたＨＳＬ値を、ＣＭＹ値に逆変換する（Ｓ５０５）。ＨＳＬ値からＣＭＹ値への変換は、上記数２で実行される。なお、カラーチャート生成処理において、Ｋの値は、元の値をそのまま用いるものであればよい。
【０１２７】
次いで、パッチ配置部１２３は、色値変位処理部１２１で変位させた前後の色値で作成したパッチをページ内に配置し、補正用カラーチャート６０を生成する（Ｓ５０６）。
【０１２８】
以上説明した第３の実施形態に係る画像処理装置によれば、領域によって変位の幅を切り替えられるようにすることで、領域ごとに適切な変位量としたパッチを生成することを可能とし、より適切な補正パラメータを得ることができる。
【０１２９】
尚、上述の実施形態は本発明の好適な実施の例ではあるがこれに限定されるものではなく、本発明の要旨を逸脱しない範囲において種々変形実施可能である。
【符号の説明】
【０１３０】
１  画像処理装置
１０  画像処理部
１１  補正制御点設定部
１２  カラーチャート生成部
１２０  第一色変換部
１２１  色値変位処理部
１２２  第二色変換部
１２３  パッチ配置部
１２４  色領域判定部
１２５  色値変位量設定部
１３  補正パラメータ生成部
１４  出力プロファイル補正部
２０  記憶装置
２１  出力プロファイル
２２  変位量パラメータ
３０  コントローラ
４０  画像形成部
５０  測色計
６０  補正用カラーチャート
７０  通信部
８０  情報処理装置
９０  ネットワーク
【先行技術文献】
【特許文献】
【０１３１】
【特許文献１】特開２００９−２１２８３９号公報
【図１】
2018113575.tif 000008
【図２】
2018113575.tif 000009
【図３】
2018113575.tif 000010
【図４】
2018113575.tif 000011
【図５】
2018113575.tif 000012
【図６】
2018113575.tif 000013
【図７】
2018113575.tif 000014
【図８】
2018113575.tif 000015
【図９】
2018113575.tif 000016
【図１０】
2018113575.tif 000017
【図１１】
2018113575.tif 000018
【図１２】
2018113575.tif 000019
【図１３】
2018113575.tif 000020
【図１４】
2018113575.tif 000021
【図１５】
2018113575.tif 000022
【図１６】
2018113575.tif 000023
【図１７】
2018113575.tif 000024
【図１８】
2018113575.tif 000025
【図１９】
2018113575.tif 000026